(57)【要約】【課題】洗浄ノズルの構成を容易に変更可能な洗浄器を提供する。【解決手段】被洗浄物が収容される洗浄槽２と、この洗浄槽２の下部に連接される液貯留部４と、この液貯留部４の液体を洗浄ノズル３へ循環供給する循環ポンプ２５とを備える。洗浄ノズル３は、洗浄槽２内に設けられる支持部材１３に回転可能に保持され、支持部材１３を介して供給される液体を噴射させるノズル孔を備える。洗浄ノズル３は、長手方向中央部が支持部材１３に回転可能に保持される細長い中空状のノズルパイプ１４と、このノズルパイプ１４の長手方向両端部の開口部に着脱可能に設けられるアタッチメント１５とを備える。このアタッチメント１５として、複数種のアタッチメント１５が付替可能とされる。【選択図】図１
2016073909.tif 000002
【特許請求の範囲】
【請求項１】
被洗浄物が収容される洗浄槽と、
この洗浄槽内に設けられる支持部材に回転可能に保持され、前記支持部材を介して供給される液体を噴射させるノズル孔が形成された洗浄ノズルと、
前記洗浄槽内の下部に連接された液貯留部と、
この液貯留部の液体を前記洗浄ノズルへ循環供給する循環ポンプとを備え、
前記洗浄ノズルは、長手方向中央部が前記支持部材に回転可能に保持される細長い中空状のノズルパイプと、このノズルパイプの長手方向両端部の開口部に着脱可能に設けられるアタッチメントとを備え、
前記アタッチメントとして、複数種のアタッチメントが付替可能とされた
ことを特徴とする洗浄器。
【請求項２】
前記アタッチメントは、前記ノズルパイプへの装着部と、この装着部に連接された本体部とを備え、
前記複数種の各アタッチメントは、前記装着部の形状は互いに同一であるが、前記本体部の形状と、前記本体部に形成されるノズル孔の個数と、前記本体部に形成されるノズル孔の形成位置との内、いずれか一以上が互いに異なる
ことを特徴とする請求項１に記載の洗浄器。
【請求項３】
前記複数種のアタッチメントの内の一つである第一アタッチメントは、その本体部が、前記ノズルパイプへの装着部と反対側の端部と、前記ノズルパイプの長手方向と直交した幅方向一端部とに、傾斜面が形成され、この傾斜面にノズル孔が形成されている
ことを特徴とする請求項２に記載の洗浄器。
【請求項４】
前記複数種のアタッチメントの内の一つである第二アタッチメントは、その本体部が、前記ノズルパイプへの装着部と反対側の端部が垂直面に形成され、この垂直面にノズル孔が水平に形成されており、
前記洗浄槽の内面に不着したスケールを除去するために、前記洗浄槽内に被洗浄物を収容していない状態で、スケール除去剤を混入した熱水を、前記第二アタッチメントを取り付けた前記洗浄ノズルに循環させる
ことを特徴とする請求項２または請求項３に記載の洗浄器。
【請求項５】
前記ノズルパイプにノズル孔が形成されており、
前記複数種のアタッチメントの内の一つである第三アタッチメントは、その本体部にノズル孔を有しない
ことを特徴とする請求項２〜４のいずれか１項に記載の洗浄器。
【請求項６】
前記被洗浄物は、前記洗浄槽に洗浄ラックを介して出し入れされ、
前記洗浄槽内に上下複数段に設けられる前記洗浄ノズルの内、少なくとも最上部および最下部の各洗浄ノズル以外の洗浄ノズルは、前記洗浄ラックに設けられており、
前記洗浄槽に前記洗浄ラックを収容した状態で、前記循環ポンプからの液体を前記洗浄ラックの洗浄ノズルへ供給可能に、前記洗浄ラックの洗浄ノズルの支持部材への流体供給口と、前記循環ポンプからの配管の流体吐出口とが、着脱可能に接続される
ことを特徴とする請求項１〜５のいずれか１項に記載の洗浄器。
【発明の詳細な説明】
【技術分野】
【０００１】
本発明は、被洗浄物に液体を噴射して洗浄する洗浄器に関するものである。
【背景技術】
【０００２】
従来、下記特許文献１に開示されるように、チャンバ（３）内にスプレー・アーム（８）を回転自在に設け、そのスプレー・アーム（８）のノズルから被洗浄物に液体を噴射して、被洗浄物の洗浄や消毒を図る洗浄器が知られている。この装置では、スプレー・アーム（８）から噴射された液体は、チャンバ（３）下部の収集スペース（１０）に集められ、循環ポンプ（１２）により循環パイプ（１６）を介してスプレー・アーム（８）へ循環供給される。
【先行技術文献】
【特許文献】
【０００３】
【特許文献１】特許第４８８６８４７号公報
【発明の概要】
【発明が解決しようとする課題】
【０００４】
従来の洗浄器では、用途に応じて、洗浄ノズル（スプレー・アーム）を変更することができない。たとえば、被洗浄物に応じて、ノズル孔からの噴射の強さや角度などを変更したい場合があるが、それを容易に実現することができない。
【０００５】
また、細長い洗浄ノズルの長手方向中央部の回転軸が、矩形断面の洗浄槽内の中央部に配置される関係上、洗浄槽の平面視において、洗浄ノズルの回転領域よりも外方、特に洗浄槽の四隅は、洗浄液が当たりにくく、洗浄性が悪くなる。洗浄槽内において被洗浄物がどの位置に置かれるかは分からないことを考慮し、洗浄ノズルからの噴射は広範囲に行われるのが好ましい。
【０００６】
さらに、洗浄器の使用に伴い、洗浄槽の内壁には、洗剤や水中の硬度分が析出したスケールが付着することがある。そこで、スケールの除去を図りたい場合があるが、それに適した洗浄ノズルに付け替えることができれば好適である。その他、洗浄ノズルのノズル孔の詰まりを解消できる洗浄ノズルがあれば好適である。
【０００７】
そこで、本発明が解決しようとする課題は、洗浄ノズルの構成を容易に変更可能な洗浄器を提供することにある。また好ましくは、洗浄槽内で広範囲の噴射を行い、特に洗浄槽の四隅でも洗浄性を低下させない洗浄ノズルとしたり、スケールの除去に好適な洗浄ノズルとしたり、ノズル孔の詰まりを解消できる洗浄ノズルとしたりできる洗浄器を提供することを課題とする。
【課題を解決するための手段】
【０００８】
本発明は、前記課題を解決するためになされたもので、請求項１に記載の発明は、被洗浄物が収容される洗浄槽と、この洗浄槽内に設けられる支持部材に回転可能に保持され、前記支持部材を介して供給される液体を噴射させるノズル孔が形成された洗浄ノズルと、前記洗浄槽内の下部に連接された液貯留部と、この液貯留部の液体を前記洗浄ノズルへ循環供給する循環ポンプとを備え、前記洗浄ノズルは、長手方向中央部が前記支持部材に回転可能に保持される細長い中空状のノズルパイプと、このノズルパイプの長手方向両端部の開口部に着脱可能に設けられるアタッチメントとを備え、前記アタッチメントとして、複数種のアタッチメントが付替可能とされたことを特徴とする洗浄器である。
【０００９】
請求項１に記載の発明によれば、洗浄ノズルをノズルパイプとアタッチメントとから構成し、アタッチメントを複数種のものに付替可能としたので、洗浄ノズルの構成を容易に変更することができる。その際、ノズルパイプの共通化により、コストダウンを図ることができる。また、ノズルパイプからアタッチメントを取り外せば、アタッチメント自体の洗浄はもちろん、ノズルパイプ内の洗浄も容易に行うことができる。
【００１０】
請求項２に記載の発明は、前記アタッチメントは、前記ノズルパイプへの装着部と、この装着部に連接された本体部とを備え、前記複数種の各アタッチメントは、前記装着部の形状は互いに同一であるが、前記本体部の形状と、前記本体部に形成されるノズル孔の個数と、前記本体部に形成されるノズル孔の形成位置との内、いずれか一以上が互いに異なることを特徴とする請求項１に記載の洗浄器である。
【００１１】
請求項２に記載の発明によれば、複数種のアタッチメントは、ノズルパイプへの装着部の構成を共通としつつ、本体部の形状、ノズル孔の個数およびノズル孔の形成位置の内、いずれか一以上が互いに異なる。これにより、洗浄ノズルの構成を容易に変更することができる。たとえば、被洗浄物に応じて、ノズル孔からの噴射の強さや角度などを変更することができる。
【００１２】
請求項３に記載の発明は、前記複数種のアタッチメントの内の一つである第一アタッチメントは、その本体部が、前記ノズルパイプへの装着部と反対側の端部と、前記ノズルパイプの長手方向と直交した幅方向一端部とに、傾斜面が形成され、この傾斜面にノズル孔が形成されていることを特徴とする請求項２に記載の洗浄器である。
【００１３】
請求項３に記載の発明によれば、第一アタッチメントの本体部には、ノズルパイプへの装着部と反対側の端部と、ノズルパイプの長手方向と直交した幅方向一端部とに、傾斜面が形成され、この傾斜面にノズル孔が形成されている。このような第一アタッチメントを用いることにより、洗浄槽内で広範囲の噴射を行い、特に洗浄槽の四隅の洗浄性を向上させることができる。
【００１４】
請求項４に記載の発明は、前記複数種のアタッチメントの内の一つである第二アタッチメントは、その本体部が、前記ノズルパイプへの装着部と反対側の端部が垂直面に形成され、この垂直面にノズル孔が水平に形成されており、前記洗浄槽の内面に不着したスケールを除去するために、前記洗浄槽内に被洗浄物を収容していない状態で、スケール除去剤を混入した熱水を、前記第二アタッチメントを取り付けた前記洗浄ノズルに循環させることを特徴とする請求項２または請求項３に記載の洗浄器である。
【００１５】
請求項４に記載の発明によれば、第二アタッチメントの本体部には、ノズルパイプへの装着部と反対側の端部が垂直面に形成され、この垂直面にノズル孔が水平に形成されている。このような第二アタッチメントは、洗浄槽の内壁へ向けて液体を高速に噴射させるので、洗浄槽内のスケールの除去に好適に用いられる。具体的には、洗浄槽内に被洗浄物を収容していない状態で、スケール除去剤を混入した熱水を、第二アタッチメントを取り付けた洗浄ノズルに循環供給して、洗浄槽の内壁へ噴射させてスケールを除去する。このように、第二アタッチメントへの交換と、スケール除去剤の投入のみで、容易にスケールの除去を図ることができる。
【００１６】
請求項５に記載の発明は、前記ノズルパイプにノズル孔が形成されており、前記複数種のアタッチメントの内の一つである第三アタッチメントは、その本体部にノズル孔を有しないことを特徴とする請求項２〜４のいずれか１項に記載の洗浄器である。
【００１７】
請求項５に記載の発明によれば、第三アタッチメントの本体部には、ノズル孔が形成されていない。このような第三アタッチメントを取り付けて、循環ポンプにより洗浄ノズルに液体を加圧供給することで、ノズルパイプのノズル孔の詰まりを解消することができる。
【００１８】
さらに、請求項６に記載の発明は、前記被洗浄物は、前記洗浄槽に洗浄ラックを介して出し入れされ、前記洗浄槽内に上下複数段に設けられる前記洗浄ノズルの内、少なくとも最上部および最下部の各洗浄ノズル以外の洗浄ノズルは、前記洗浄ラックに設けられており、前記洗浄槽に前記洗浄ラックを収容した状態で、前記循環ポンプからの液体を前記洗浄ラックの洗浄ノズルへ供給可能に、前記洗浄ラックの洗浄ノズルの支持部材への流体供給口と、前記循環ポンプからの配管の流体吐出口とが、着脱可能に接続されることを特徴とする請求項１〜５のいずれか１項に記載の洗浄器である。
【００１９】
請求項６に記載の発明によれば、洗浄ラックを介して、洗浄槽に対し被洗浄物を容易に出し入れすることができる。
【発明の効果】
【００２０】
本発明の洗浄器によれば、洗浄ノズルの構成を容易に変更することができる。また、実施の形態に応じて、洗浄槽内で広範囲の噴射を行い、特に洗浄槽の四隅でも洗浄性を低下させない洗浄ノズルとしたり、スケールの除去に好適な洗浄ノズルとしたり、ノズル孔の詰まりを解消できる洗浄ノズルとしたりすることもできる。
【図面の簡単な説明】
【００２１】
【図１】本発明の一実施例の洗浄器を示す概略図であり、一部を断面にして示している。
【図２】図１の洗浄器の洗浄ノズルの一例を示す概略分解斜視図であり、洗浄ノズルの一端部を示している。
【図３】図２の組立状態を示す図である。
【図４】図１の洗浄器の洗浄ノズルの他の例を示す概略斜視図であり、洗浄ノズルの一端部を示している。
【発明を実施するための形態】
【００２２】
以下、本発明の具体的実施例を図面に基づいて詳細に説明する。
まずは洗浄器の全体構成と制御について概略を説明した後、洗浄ノズルについて具体的に説明する。
【００２３】
図１は、本発明の一実施例の洗浄器１を示す概略図であり、一部を断面にして示している。本実施例の洗浄器１は、ウォッシャーディスインフェクターとして利用できるものである。
【００２４】
本実施例の洗浄器１は、被洗浄物を収容する洗浄槽２と、この洗浄槽２内の被洗浄物へ液体を噴射する洗浄ノズル３と、洗浄槽２内の下部に連接された液貯留部４と、この液貯留部４への給水手段５と、液貯留部４からの排水手段６と、液貯留部４への薬液供給手段７と、液貯留部４内の液体を洗浄ノズル３へ循環供給する循環手段８とを備える。さらに、洗浄器１は、液貯留部４内の液体を加熱する第一ヒータ９と、洗浄槽２内へ空気を送り込む送風機１０と、この送風機１０から洗浄槽２内への空気を加熱する第二ヒータ１１などを備えるのが好ましい。
【００２５】
被洗浄物は、特に問わないが、たとえば鉗子などの医療器具である。洗浄槽２内には、上下複数段に洗浄ノズル３が設けられるが、被洗浄物は上下の洗浄ノズル３間に配置される。この際、洗浄槽２内に上下複数段に設けられる網棚（図示省略）に、被洗浄物が載せられる。
【００２６】
洗浄槽２は、被洗浄物が収容される中空容器である。洗浄槽２は、本実施例では略矩形の中空ボックス状である。洗浄槽２は、扉（図示省略）により開閉可能とされる。扉を開けることで、洗浄槽２に対し被洗浄物を出し入れすることができる。扉は、洗浄槽２の正面に設けられるが、洗浄槽２の正面および背面の双方に設けられてもよい。
【００２７】
洗浄槽２は、少なくとも左右の側壁に、洗浄槽２内の下方へ開口する空洞部としてのジャケット１２を備えるのが好ましい。本実施例では、洗浄槽２の上壁と左右側壁とに、連続的にジャケット１２が形成されている。その際、ジャケット１２は、洗浄槽２の前後においては閉じられており、左右側壁の下端部において下方へ開口している。
【００２８】
洗浄ノズル３は、洗浄槽２内に、上下複数段に設けられる。本実施例では、洗浄槽２の一側部に、上下複数段にアーム状の支持部材１３の基端部が保持され、各支持部材１３は、洗浄槽２の一側部から左右方向中央部へ向けて延出する。各支持部材１３は、細長い中空材から形成され、洗浄槽２の一側壁の前後方向中央部に基端部を保持され、そこから洗浄槽２の一側壁と略垂直に、洗浄槽２の左右方向中央部まで水平に延出して設けられる。これにより、支持部材１３は、洗浄槽２の一側壁からの延出先端部が、洗浄槽２の中央部（平面視における中央部）に配置される。そして、その延出先端部に、洗浄ノズル３の長手方向中央部が垂直軸まわりに回転自在に保持される。なお、最上部の洗浄ノズル３の支持部材１３は、洗浄槽２の上壁の中央部に、下方へ突出して設けてもよい。
【００２９】
詳細は後述するが、洗浄ノズル３は、細長い中空状のノズルパイプ１４の両端部にアタッチメント１５が着脱可能に設けられて構成される。そして、ノズルパイプ１４の長手方向中央部が、前述したように支持部材１３に回転自在に保持されると共に、その際、ノズルパイプ１４内と支持部材１３内とが連通するよう設けられる。
【００３０】
洗浄ノズル３は、流体（液体や空気）を噴射させるノズル孔（図示省略）を複数形成されている。支持部材１３内を介して洗浄ノズル３内に流体が供給されると、その流体は洗浄ノズル３のノズル孔から噴射される。この噴流により、洗浄ノズル３は、支持部材１３の端部の軸受部まわりに回転する。なお、洗浄槽２内の上端部に設けられる洗浄ノズル３は、下方へのみ流体を噴射し、洗浄槽２内の下端部に設けられる洗浄ノズル３は、上方へのみ流体を噴射し、上下両端部以外の洗浄ノズル３は、上下両方へ流体を噴射する。
【００３１】
液貯留部４は、洗浄槽２内の下部に連接される。言い換えれば、洗浄槽２は、下部に液貯留部４を備える。本実施例では、液貯留部４は、洗浄槽２の左右方向中央部の下部に、前後方向へ延出して設けられる。具体的には、洗浄槽２の下壁は、左右両端部が左右方向内側へ行くに従って下方へ傾斜する傾斜面２ａに形成されており、左右方向中央部は下方へ略矩形状に凹んで形成されている。そして、その下方への凹部が液貯留部４とされる。洗浄ノズル３から洗浄槽２内へ噴射された液体は、洗浄槽２内の下方へ落下し、傾斜面２ａにより液貯留部４に集められる。
【００３２】
給水手段５は、洗浄槽２下部の液貯留部４に、給水路１６を介して給水する。本実施例では、給水路１６からの給水は、洗浄槽２を介して液貯留部４に送られる。給水路１６には、洗浄槽２へ向けて、逆止弁１７と給水弁１８とが設けられる。給水路１６を介した洗浄槽２内への給水は、洗浄槽２の上部からジャケット１２内へ行われる。従って、給水路１６からの水は、左右のジャケット１２を介して、洗浄槽２内下部へ排出され、液貯留部４へ供給される。
【００３３】
図示例では、給水路１６を一本のみ示しているが、所望により常温水と温水の各給水路１６を並列に設けてもよい。その際、常温水と温水の各給水路１６を途中で合流させて、所望温度として洗浄槽２内へ給水可能としてもよい。さらに、水道水の他、軟水またはＲＯ水など、異なる種類の液体から選択したものを洗浄槽２内へ給水可能に、給水路１６を並列に設けてもよい。
【００３４】
液貯留部４付きの洗浄槽２には、液位検出器（図示省略）が設けられる。液位検出器は、その構成を特に問わないが、たとえば、液貯留部４の底部に設置した圧力センサから構成される。この場合、液貯留部４（および洗浄槽２）内の液位に応じて、水圧が変わることを利用して液位を把握する。なお、洗浄槽２には、所定以上の液体を外部へ排出するオーバーフロー路１９が設けられる。
【００３５】
排水手段６は、洗浄槽２下部の液貯留部４から、排水路２０を介して排水する。排水路２０には、排水弁２１が設けられている。排水弁２１を開くことで、液貯留部４内の貯留水を外部へ排水することができる。
【００３６】
薬液供給手段７は、液貯留部４内の貯留水に、給液路２２を介して薬液を供給する。具体的には、薬液が貯留された薬液タンク２３が、給液路２２を介して洗浄槽２と接続され、給液路２２には薬液ポンプ２４が設けられている。薬液ポンプ２４の作動を制御することで、薬液タンク２３から洗浄槽２内への薬液の供給量を調整することができる。なお、薬液タンク２３および給液路２２のセットを並列に複数設けておき、薬液の種類を変更可能としてもよい。たとえば、アルカリ性洗剤、酵素配合洗剤、潤滑防錆剤、乾燥促進剤など、所望の薬液を貯留した薬液タンク２３を複数備え、被洗浄物や工程に応じて、使用する薬液を変更してもよい。
【００３７】
循環手段８は、液貯留部４内の貯留液を、洗浄ノズル３へ循環供給する。具体的には、循環手段８は、循環ポンプ２５と循環配管２６とを備える。循環ポンプ２５は、液貯留部４の下方側部に設けられる。排水路２０には、排水弁２１より上流において、分岐路２７が分岐して設けられており、その分岐路２７が、循環ポンプ２５の吸入口に接続される。一方、循環ポンプ２５の吐出口は、適宜の循環配管２６を介して、洗浄ノズル３の支持部材１３に接続される。従って、循環ポンプ２５を作動させると、液貯留部４内の液体を、循環配管２６および支持部材１３を介して洗浄ノズル３へ供給することができ、洗浄ノズル３から噴射された液体は、液貯留部４に戻される。
【００３８】
第一ヒータ９は、液貯留部４内の液体を加熱する。第一ヒータ９は、電気ヒータであってもよいが、図示例では蒸気ヒータである。蒸気ヒータは、液貯留部４内に配置される蒸気管を備え、この蒸気管内には給蒸路２８を介して蒸気が供給される。給蒸路２８に設けた給蒸弁２９の開閉または開度を制御することで、液貯留部４内の液体の温度を調整することができる。蒸気ヒータへ供給された蒸気の凝縮水は、ドレン排出路３０を介して排出される。蒸気ヒータからのドレン排出路３０には、蒸気トラップ３１と逆止弁３２とが設けられている。
【００３９】
洗浄槽２の上部には、送風機１０からの給気路３３が接続される。送風機１０からの給気路３３は、第二ヒータ１１より下流において分岐され、第一給気路３３ａが給気弁３４を介して前記循環配管２６に接続され、第二給気路３３ｂが洗浄槽２上部のジャケット１２に接続される。送風機１０からの空気は、第二ヒータ１１で加熱された後、第一給気路３３ａ、循環配管２６および支持部材１３を介して、洗浄ノズル３から噴射される一方、第二給気路３３ｂおよびジャケット１２を介して、左右のジャケット１２の下端部から洗浄槽２内へ供給される。
【００４０】
洗浄槽２の上部には、外部への排気路３５が接続される。排気路３５からの排気は、一部が外部へ排気されつつ、残部が循環路３６を介して送風機１０の吸込口へ戻される。この戻し量を所望に保つために、排気路３５にはオリフィス３７が設けられる。そして、送風機１０には、洗浄槽２からの排気と、フィルタ３８を介した新規空気（外気）とが供給される。言い換えれば、空気を一部入れ替えながら、送風機１０により、洗浄槽２との間で空気を循環させることができる。
【００４１】
洗浄器１は、さらに加熱タンク３９を備えてもよい。加熱タンク３９は、後の工程で用いる液体を予め加熱するのに用いられる。本実施例では、加熱タンク３９は、設置スペースの関係上、洗浄槽２の上部（真上）に設けられる。
【００４２】
加熱タンク３９には、タンク給水路４０を介して水が供給される。タンク給水路４０にはタンク給水弁４１が設けられており、タンク給水弁４１の開閉を制御することで、加熱タンク３９への給水を制御することができる。本実施例では、加熱タンク３９には、水位検出器（図示省略）が設けられており、少なくとも満水状態（設定水位までの給水状態）と空水状態とが検知可能とされる。水位検出器の検出信号に基づきタンク給水弁４１を制御して、加熱タンク３９に設定水位まで給水することができる。なお、加熱タンク３９には、所定以上の水を溢れされるオーバーフロー路４２が設けられている。
【００４３】
加熱タンク３９には、第三ヒータ４３が設けられる。第三ヒータ４３は、図示例では電気ヒータとされるが、場合により第一ヒータ９と同様の蒸気ヒータであってもよい。第三ヒータ４３により、加熱タンク３９内の液体を設定温度まで加熱することができる。典型的には、除染工程で使用する熱水を製造することができる。
【００４４】
加熱タンク３９と洗浄槽２とは、熱水路４４により接続されており、熱水路４４には熱水弁４５が設けられている。熱水路４４は、下流（洗浄槽２側）において、給水路１６と共通管路とされている。熱水弁４５を開くことで、加熱タンク３９から洗浄槽２内へ熱水を供給することができる。
【００４５】
洗浄槽２には、さらに、超音波振動子４６を設けてもよい。本実施例では、洗浄槽２の下壁の左右の傾斜面２ａに、それぞれ超音波振動子４６が設けられている。
【００４６】
液貯留部４には、第一温度センサ４７が設けられる。第一温度センサ４７の検出温度に基づき第一ヒータ９を制御（本実施例では給蒸弁２９を制御）することで、液貯留部４内の貯留水、ひいては洗浄ノズル３から噴射する液体の温度を調整することができる。
【００４７】
送風機１０から洗浄槽２への給気路３３には、第二ヒータ１１の設置位置よりも下流側に、第二温度センサ４８が設けられる。第二温度センサ４８の検出温度に基づき第二ヒータ１１を制御することで、洗浄槽２内への給気温度を調整することができる。
【００４８】
加熱タンク３９には、第三温度センサ４９が設けられる。第三温度センサ４９の検出温度に基づき第三ヒータ４３を制御することで、加熱タンク３９内の貯留水を所望温度に調整することができる。
【００４９】
洗浄器１は、さらに制御手段としての制御器（図示省略）を備える。具体的には、給水弁１８、排水弁２１、給気弁３４、タンク給水弁４１、熱水弁４５、循環ポンプ２５、薬液ポンプ２４、第一ヒータ９（給蒸弁２９）、第二ヒータ１１、第三ヒータ４３、送風機１０、超音波振動子４６、液貯留部４の液位検出器、加熱タンク３９の水位検出器、第一温度センサ４７、第二温度センサ４８および第三温度センサ４９などは、制御器に接続されている。そして、制御器は、所定の手順（プログラム）に従い、洗浄槽２内の被洗浄物の洗浄や濯ぎなどを図る。
【００５０】
本実施例では、洗浄器は、予洗工程、洗浄工程、超音波洗浄工程、濯ぎ工程、除染工程および乾燥工程の内、選択された工程を実行する。どの工程をどのような順序で行うかは、運転開始に先立ち、ユーザにより制御器に設定される。
【００５１】
洗浄工程では、薬液（洗剤）を投入した水（洗浄液）で、被洗浄物を洗浄する。具体的には、給水手段５により液貯留部４に設定水位Ｘまで水を貯留すると共に、薬液供給手段７により液貯留部４に薬液を投入した後、循環手段８により液貯留部４内の液体を洗浄ノズル３との間で循環させる。これにより、被洗浄物は、上下の洗浄ノズル３から噴射される液体で洗浄される。設定時間だけ液体を循環させた後、循環手段８を停止して、排水手段６により排水する。なお、洗浄工程では、第一ヒータ９により、液貯留部４内の貯留水を設定温度（たとえば４０℃）まで加熱してもよい。
【００５２】
超音波洗浄工程では、給水手段５により被洗浄物が水没するまで洗浄槽２内に水を貯留後、超音波振動子４６を作動させて、被洗浄物を超音波洗浄する。設定時間経過後、超音波振動子４６を停止して、排水手段６により排水する。なお、超音波洗浄中、循環手段８を作動させてもよい。
【００５３】
洗浄工程（または超音波洗浄工程）前の予洗工程、または洗浄工程（または超音波洗浄工程）後の濯ぎ工程として、洗浄工程と同様ではあるが、薬液を投入しない水により、被洗浄物を予洗または濯ぎしてもよい。また、濯ぎ工程と同様があるが、常温水ではなく、熱水（８０℃以上１００℃未満の高温水）を用いて、除染工程を実施してもよい。
【００５４】
最後に乾燥工程として、洗浄槽２内に熱風を循環させて、被洗浄物の乾燥を図ってもよい。その場合、送風機１０および第二ヒータ１１を作動させると共に、給気弁３４を開放すればよい。送風機１０からの熱風は、第一給気路３３ａ、循環配管２６および支持部材１３を介して、洗浄ノズル３を回転させながら、洗浄ノズル３のノズル孔から噴射される。また、これと並行して、送風機１０からの熱風は、第二給気路３３ｂおよびジャケット１２を介して、洗浄槽２内の底部へ供給される。これら熱風は、洗浄槽２の上部の排気路３５から導出され、前述したように一部を入れ替えながら送風機１０により循環される。
【００５５】
図２および図３は、図１の洗浄器１の洗浄ノズル３の一例を示す概略図であり、図２は分解状態、図３は組立状態を示している。なお、図２および図３では、洗浄ノズル３の一端部のみを示しているが、他端部の構成も同様である。但し、洗浄ノズル３は、長手方向中央部（支持部材１３への保持部）を中心に１８０°回転させても、図２および図３の構成になるように、点対称に構成されるのがよい。
【００５６】
洗浄ノズル３は、長手方向中央部が支持部材１３に回転自在に保持される細長い中空状のノズルパイプ１４と、このノズルパイプ１４の長手方向両端部の開口部に着脱可能に設けられるアタッチメント１５とを備える。本実施例では、ノズルパイプ１４の構成を共通としつつ、アタッチメント１５を交換可能とされる。つまり、複数種のアタッチメント１５を付替可能とされており、図示例では、その内の一つの第一アタッチメント１５Ａを示している。
【００５７】
ノズルパイプ１４は、長手方向両端部に開口した中空材であれば、その構成を特に問わない。たとえば、断面が略円形または略楕円形の筒状に形成されてもよいが、本実施例では、断面が略矩形の筒状に形成されている。そして、図２に示すように、略矩形断面の長辺が水平に配置され、短辺が垂直に配置される。
【００５８】
ノズルパイプ１４には、適宜のノズル孔（図示省略）が形成されてもよい。具体的には、図２において、ノズルパイプ１４の上下および／または前後の各側壁１４ａ〜１４ｄに、ノズル孔が形成されてもよい。
【００５９】
たとえば、ノズルパイプ１４の上壁１４ａおよび下壁１４ｂには、ノズルパイプ１４の幅方向中央部にノズル孔が形成される。その際、ノズル孔は、ノズルパイプ１４の長手方向に離隔して複数形成されてもよい。但し、洗浄槽２内の上端部に設けられる洗浄ノズル３のノズルパイプ１４は、上壁１４ａおよび下壁１４ｂの内、下壁１４ｂにのみノズル孔を形成されてもよいし、逆に、洗浄槽２内の下端部に設けられる洗浄ノズル３のノズルパイプ１４は、上壁１４ａおよび下壁１４ｂの内、上壁１４ａにのみノズル孔を形成されてもよい。
【００６０】
また、ノズル孔は、ノズルパイプ１４の上壁１４ａおよび／または下壁１４ｂに形成されることに代えてまたはそれに加えて、ノズルパイプ１４の幅方向両側壁１４ｃ，１４ｄに形成されてもよい。その際、ノズル孔は、ノズルパイプ１４の長手方向に離隔して複数形成されてもよい。また、ノズル孔からの流体の噴出により洗浄ノズル３を回転させるために、ノズルパイプ１４の長手方向中央部を境に、ノズルパイプ１４の長手方向一方には、ノズルパイプ１４の幅方向一側壁にのみノズル孔が形成され、ノズルパイプ１４の長手方向他方には、ノズルパイプ１４の幅方向他側壁にのみノズル孔が形成されてもよい。たとえば、ノズルパイプ１４が左右方向へ沿って配置されている状態で、ノズルパイプ１４の右半分の前壁（図２において手前側の側壁１４ｃ）にノズル孔が形成される一方、ノズルパイプ１４の左半分の後壁（図２において奥側の側壁１４ｄ）にノズル孔が形成されてもよい。
【００６１】
なお、本実施例では、ノズルパイプ１４の長手方向両端部には、略矩形枠状のフランジ板５０が固定されている。フランジ板５０は、略矩形穴５０ａが形成された略矩形板から構成される。フランジ板５０の略矩形穴５０ａの大きさは、ノズルパイプ１４の中空穴の断面の大きさと対応している。そして、フランジ板５０の略矩形穴５０ａをノズルパイプ１４の中空穴と一致させた状態で、フランジ板５０がノズルパイプ１４の長手方向両端面に重ね合わされて固定される。その状態で、フランジ板５０は、少なくとも一部の端辺において、ノズルパイプ１４より外方へ延出している。但し、場合により、このようなフランジ板５０の設置を省略してもよい。
【００６２】
アタッチメント１５は、ノズルパイプ１４への装着部５１と、この装着部５１に連接された本体部５２とを備える。前述したように、共通のノズルパイプ１４に対し、各種のアタッチメント１５が付替可能とされるが、これら各アタッチメント１５は、装着部５１の形状（大きさを含む）が互いに同一とされる。一方、各アタッチメント１５は、本体部５２の形状と、本体部５２に形成されるノズル孔５３の個数（ノズル孔５３の有無を含む）と、本体部５２に形成されるノズル孔５３の形成位置との内、いずれか一以上が互いに異なる。
【００６３】
図２および図３に示すように、第一アタッチメント１５Ａは、ノズルパイプ１４への装着部５１が、ノズルパイプ１４の開口部にはめ込まれる略矩形のブロック状とされている。一方、本体部５２は、装着部５１よりも大きな略矩形のブロック状とされており、図示例の場合、幅方向（ノズルパイプ１４の幅方向）で切断した断面の外寸は、フランジ板５０の外寸と対応している。
【００６４】
アタッチメント１５には、本体部５２および装着部５１に、図３において破線で示すように、装着部５１の基端面（本体部５２と反対側の端面）に開口して、略矩形の中空穴５４が形成されている。ノズルパイプ１４へのアタッチメント１５の取付状態において、アタッチメント１５の中空穴５４の開口部が、ノズルパイプ１４の中空穴と連通する。
【００６５】
第一アタッチメント１５Ａの本体部５２には、上下面５２ａに、前記中空穴５４と連通するノズル孔５３ａが形成されている。図示例では、本体部５２の上面５２ａおよび下面５２ａに、アタッチメント１５の幅方向に離隔して、複数のノズル孔５３ａが垂直に形成されているが、ノズル孔５３ａの有無、個数、形成位置、形成角度、大きさなどは、適宜に変更可能である。
【００６６】
また、第一アタッチメント１５Ａの本体部５２には、装着部５１と反対側の端部に、上下に傾斜面５２ｂが形成されており、その傾斜面５２ｂに前記中空穴５４と連通するノズル孔５３ｂが形成されている。本実施例では、本体部５２の上下に、装着部５１から離隔する方向（ノズルパイプ１４の長手方向外側）へ行くに従って上下方向内側へ傾斜する傾斜面５２ｂが形成されている。この傾斜面５２ｂの傾斜角度は、適宜に設定されるが、たとえば垂直面に対し１０〜３０度とされる。そして、上下の傾斜面５２ｂには、その傾斜面５２ｂと略垂直に、一または複数のノズル孔５３ｂが形成される。図示例では、各傾斜面５２ｂには、アタッチメント１５の幅方向中央部に一つのノズル孔５３ｂが形成されているが、幅方向に離隔して複数のノズル孔５３ｂが形成されてもよい。
【００６７】
また、第一アタッチメント１５Ａの本体部５２には、幅方向一端部にも、上述したのと同様の構成で（つまり装着部５１と反対側の端部に設けられた傾斜面５２ｂおよびノズル孔５３ｂと同様の構成で）、傾斜面５２ｃおよびノズル孔５３ｃが形成されている。すなわち、本体部５２の幅方向一端部には、上下に傾斜面５２ｃが形成されており、この傾斜面５２ｃにも前記中空穴５４と連通するノズル孔５３ｃが形成されている。本実施例では、本体部５２の上下に、本体部５２の幅方向一方へ行くに従って上下方向内側へ傾斜する傾斜面５２ｃが形成されており、その傾斜面５２ｃに一または複数のノズル孔５３ｃが形成されている。図示例では、上下の傾斜面５２ｃには、それぞれ中央部に、ノズル孔５３ｃが形成されているが、ノズル孔５３ｃの位置や個数などは、適宜に変更可能である。
【００６８】
なお、本体部５２の幅方向他端部は、垂直面に形成され、ノズル孔５３は形成されていない。このような構成の場合、洗浄ノズル３を回転させる噴流を得るためのノズル孔がノズルパイプ１４に形成されていなくても、アタッチメント１５の幅方向一端部に設けられたノズル孔５３（５３ｃ）により、洗浄ノズル３を回転させることができる。そのために、ノズルパイプ１４の右端部では、図２に示すように手前側に傾斜面５２ｃやノズル孔５３ｃを設けたが、ノズルパイプ１４の左端部では、奥側に傾斜面５２ｃやノズル孔５３ｃを設けることになる。この際、同一構成のアタッチメント１５（１５Ａ）を用いて、ノズルパイプ１４への取付姿勢を変更（１８０度反転）するだけで足りる。
【００６９】
なお、ここでは、第一アタッチメント１５Ａの本体部５２には、（ａ）装着部５１と反対側の端部と、（ｂ）幅方向一端部とに、それぞれ傾斜面５２ｂ，５２ｃを設けてその傾斜面５２ｂ，５２ｃに開口（好適には傾斜面５２ｂ，５２ｃに対し略垂直に開口）するようにノズル孔５３ｂ，５３ｃを設けたが、（ａ）と（ｂ）の内、いずれか一方の傾斜面とそのノズル孔の設置を省略してもよい。
【００７０】
アタッチメント１５は、装着部５１がノズルパイプ１４の開口部にはめ込まれて取り付けられる。その際、ノズルパイプ１４の端面（より具体的にはフランジ板５０の端面）と、アタッチメント１５の段付き部（装着部５１と本体部５２との段付き面）との間に、パッキン５５を介在させて水密に取付けられる。そして、ノズルパイプ１４に設けられた固定フック５６をアタッチメント１５に係合すればよい。
【００７１】
本実施例では、固定フック５６は、金属製線材が略コ字形状に屈曲されて構成され、その開放両端部はノズルパイプ１４の幅方向両側壁を挟むように配置され、ノズルパイプ１４の幅方向両側壁に回転自在に保持される。具体的には、固定フック５６の開放両端部には、ノズルパイプ１４の幅方向内側への屈曲部５６ａが形成されており、その屈曲部５６ａがノズルパイプ１４の幅方向両側壁１４ｃ，１４ｄの穴にはめ込まれている。なお、図３に示すように、固定フック５６の端部は、ノズルパイプ１４の幅方向両側壁１４ｃ，１４ｄにおいて、上下方向中央部よりも下方（または上方）にずれた位置に保持される。
【００７２】
一方、アタッチメント１５の本体部５２には、装着部５１と反対側の端部において、上下の傾斜面５２ｂ間に、引っ掛け溝５７が前後に延出して形成されている。従って、ノズルパイプ１４の開口部にアタッチメント１５の装着部５１を、パッキン５５を介してはめ込み、固定フック５６の中央片５６ｂを本体部５２の引っ掛け溝５７に係合すればよい。これにより、ノズルパイプ１４からのアタッチメント１５の脱落を防止することができる。なお、ノズルパイプ１４にアタッチメント１５をはめ込んで固定フック５６で位置決めした状態で、固定フック５６が各ノズル孔５３に被らないように、位置調整されている。また、アタッチメント１５の種類が変わっても、ノズルパイプ１４に対する固定フック５６の回動だけで、ノズルパイプ１４に対するアタッチメント１５の着脱が可能に、各アタッチメント１５に引っ掛け溝５７が形成されている。
【００７３】
略矩形断面の洗浄槽２の中心部を軸として洗浄ノズル３を回転させる場合において、仮に洗浄ノズル３の上下にのみ液体を噴射する場合、洗浄槽２の四隅において洗浄性が劣ることになる。ところが、第一アタッチメント１５Ａを取り付けておけば、斜め上方および斜め下方にも液体を噴射させることができるので、洗浄槽２の四隅における洗浄性を向上することができる。なお、各ノズル孔５３から噴射される液体が扇形に広がるように、噴出口を構成しておくのがよい。また、洗浄槽２の上端部に設けられる洗浄ノズル３のアタッチメント１５には、上方へ向いた傾斜面５２ｂ，５２ｃやそのノズル孔５３ｂ，５３ｃを不要とでき、逆に、洗浄槽２の下端部に設けられる洗浄ノズル３のアタッチメント１５には、下方へ向いた傾斜面５２ｂ，５２ｃやそのノズル孔５３ｂ，５３ｃを不要とできる。
【００７４】
図４は、図１の洗浄器１の洗浄ノズル３の他の例を示す概略図であり、ノズルパイプ１４の端部に第二アタッチメント１５Ｂを取り付けた状態を示している。なお、図４では、洗浄ノズル３の一端部のみを示しているが、他端部の構成も同様である。但し、第一アタッチメント１５Ａの場合と同様に、洗浄ノズル３は、長手方向中央部（支持部材１３への保持部）を中心に１８０°回転させても、図４の構成になるように、点対称に取り付けるのが通常である。
【００７５】
第二アタッチメント１５Ｂも、基本的には前述した第一アタッチメント１５Ａと同様の構成である。そこで、以下においては、両者の異なる点を中心に説明し、同様の箇所については説明を省略する。また、対応する箇所には同一の符号を付して説明する。
【００７６】
第二アタッチメント１５Ｂは、本体部５２の構成が、第一アタッチメント１５Ａと異なる。具体的には、第二アタッチメント１５Ｂは、装着部５１と反対側の端部が垂直面５２ｄに形成されており、その垂直面５２ｄの上下方向中央部に、固定フック５６の引っ掛け溝５７が形成されている。引っ掛け溝５７を挟んだ上下の垂直面５２ｄには、一または複数のノズル孔５３ｄが、水平に（つまり垂直面５２ｄと垂直に）形成されている。
【００７７】
第二アタッチメント１５Ｂの場合、本体部５２の上下面５２ａへのノズル孔５３ａ（図２）の形成を省略してもよい。また、ノズルパイプ１４のノズル孔からの噴流により洗浄ノズル３を回転可能であれば、アタッチメント１５の本体部５２の幅方向一端部への傾斜面５２ｃやノズル孔５３ｃの形成を省略してもよい。その他の構成は、第一アタッチメント１５Ａと同様である。
【００７８】
第二アタッチメント１５Ｂは、洗浄槽２内の前後左右の側壁（扉を含む）に付着したスケール（洗剤や水中の硬度分が析出したもの）を除去する際に好適に用いられる。その場合、洗浄槽２内に被洗浄物を収容しない状態で、スケール除去剤を混入した水（好ましくは８０℃以上１００℃未満の熱水）を、第二アタッチメント１５Ｂを取り付けた洗浄ノズル３に循環させればよい。スケール除去剤は、スケール除去運転の開始に先立って、作業者により、液貯留部４に必要量を投入すればよいが、場合により、薬液供給手段７により自動投入されてもよい。なお、スケール除去剤は、典型的にはクエン酸である。
【００７９】
所定の操作により、スケール除去運転の開始を指示すると、制御器は、除染工程と同様に、液貯留部４に熱水を用意して、スケール除去剤が混入された熱水を、循環手段８により循環させる。設定時間だけ液体を循環させた後、循環を停止して、排水手段６により排水する。この排水に先立ち、制御器は、薬液供給手段７により中和剤を投入して、中和してから排水してもよい。この中和を均一に行うために、中和剤を投入後に、循環手段８を所定時間だけ作動させた後、排水してもよい。その後、濯ぎ工程と同様にして、洗浄槽２内の濯ぎを図ればよい。さらに、所望により、前述した乾燥工程を実施してもよい。
【００８０】
第二アタッチメント１５Ｂは、洗浄槽２の内壁へ向けて液体を高速に噴射させるので、洗浄槽２内のスケールの除去を効果的に図ることができる。つまり、スケール除去剤によりスケールを柔らかくしつつ、第二アタッチメント１５Ｂからの噴流によりスケールを剥離することができる。第二アタッチメント１５Ｂの垂直面５２ｄからの液体の流速を確保するために、ノズルパイプ１４へのノズル孔（特に上下面１４ａ，１４ｂへのノズル孔）の形成を省略したものを用いてもよい。
【００８１】
スケール除去運転では、洗浄槽２内だけでなく、循環配管２６、支持部材１３および洗浄ノズル３などからもスケールの除去を図ることができる。なお、第二アタッチメント１５Ｂも、第一アタッチメント１５Ａと同様に、本体部５２からの液体が扇形に広がるように（特に壁面へ行くに従って上下に広がる扇形に）噴出口を構成しておくのがよい。
【００８２】
ところで、第二アタッチメント１５Ｂの場合に限らないが、本実施例の洗浄ノズル３によれば、ノズルパイプ１４に対しアタッチメント１５を容易に着脱することができる。しかも、ノズルパイプ１４からアタッチメント１５を取り外した状態では、ノズルパイプ１４の開口部が露出する。その上、後述するように、洗浄槽２（または後述する洗浄ラック）から、ノズルパイプ１４を取り外し可能である。そのため、洗浄ノズル３の各部品の洗浄を容易に行うことができる。
【００８３】
その他、図示しないが、第三アタッチメント１５Ｃとして、本体部５２にノズル孔５３を有しないアタッチメント１５を取り付け可能としてもよい。その場合、ノズルパイプ１４にはノズル孔が形成されている。このような第三アタッチメント１５Ｃを取り付けて、循環ポンプ２５により洗浄ノズル３に液体を加圧供給することで、ノズルパイプ１４のノズル孔の詰まりを解消することができる。この際も、第二アタッチメント１５Ｂを用いたスケール除去運転と同様に、循環水にはスケール除去剤を混入してもよい。
【００８４】
アタッチメント１５は、上述した各アタッチメントに限らず、その他の構成を採用することもできる。その際、前述したように、ノズルパイプ１４への装着部５１の構成を共通としつつ、本体部５２の形状と、本体部５２に形成されるノズル孔５３の個数（ノズル孔５３の有無を含む）と、本体部５２に形成されるノズル孔５３の形成位置などの内、いずれか一以上を変更すればよい。これにより、たとえば、洗浄ノズル３からの流体の噴出の方向および／または流速を変更することができる。
【００８５】
ところで、洗浄ノズル３やその支持部材１３は、洗浄槽２に対して（後述するように洗浄ノズル３が洗浄ラックに設けられる場合は洗浄ラックに対して）着脱可能に構成されてもよい。つまり、本実施例では、洗浄ノズル３の支持部材１３は、その基端部が洗浄槽２の側壁に対し着脱可能とされる。支持部材１３が取り付けられない接続開口部（洗浄槽２側の接続口）には、蓋材が設けられて閉塞される。このようにして、洗浄槽２内に設ける洗浄ノズル３の上下方向の間隔を適宜に変更可能であると共に、洗浄槽２に対し各網棚も個別に着脱可能であるから、被洗浄物の大きさに容易に対応することができる。そして、洗浄ノズル３の上下方向の設置間隔の変更に伴い、それに適した洗浄ノズル３のアタッチメント１５に付け替えることもできる。
【００８６】
本発明の洗浄器１は、前記実施例の構成に限らず適宜変更可能である。特に、洗浄ノズル３が、洗浄槽２側の支持部材１３に回転自在に保持されるノズルパイプ１４と、その開口部に着脱可能に設けられるアタッチメント１５とを備えて構成され、アタッチメント１５として、複数種のアタッチメント１５が付替可能とされるのであれば、その他の構成および制御は適宜に変更可能である。
【００８７】
たとえば、ノズルパイプ１４に対するアタッチメント１５の着脱構造は、適宜に変更可能である。ノズルパイプ１４の開口部にアタッチメント１５の装着部５１をはめ込んだ後、固定フック５６で係合する以外に、ノズルパイプ１４の開口部にアタッチメント１５の装着部５１をはめ込むことで、あるいははめ込んでひねることで、自動的にノズルパイプ１４にアタッチメント１５が係合されるように構成してもよい。
【００８８】
また、前記実施例では、ノズルパイプ１４の両端部には、基本的には点対象の構成で、同じアタッチメント１５を取り付ける例について説明したが、場合により、異なる構成のアタッチメント１５を取り付けてもよい。
【００８９】
また、洗浄槽２内に上下複数段に洗浄ノズル３が設けられる場合、すべての洗浄ノズル３に同一のアタッチメント１５を用いる必要はなく、被洗浄物の種類や大きさなどに応じて、各段で異なる洗浄ノズル３を用いてもよい。
【００９０】
さらに、前記実施例では、被洗浄物は、洗浄槽２内の網棚に対し出し入れされたが、洗浄槽２内に洗浄ラックを出し入れ可能とし、その洗浄ラックの網棚に被洗浄物を収容可能としてもよい。その場合、上下複数段に設けられる洗浄ノズル（特に最上部および／または最下部の洗浄ノズル以外の洗浄ノズル）３は、洗浄ラックに設けられる。洗浄ラックには、前記実施例と同様に、一側部に、上下複数段にアーム状の支持部材１３が設けられ、各支持部材１３に洗浄ノズル３が回転可能に保持される。そして、洗浄槽２に洗浄ラックを収容した状態で、循環ポンプ２５からの液体（または送風機１０からの空気）を洗浄ラックの洗浄ノズル３へ供給可能に、洗浄ラック側の支持部材１３への流体供給口と、洗浄槽２側の循環ポンプ２５からの配管の流体吐出口とが、着脱可能に接続される。なお、洗浄ラックは、下端部にキャスターが設けられたワゴン状とされてもよい。また、前記実施例において洗浄槽２内の上下両端部に設けられた洗浄ノズル３の内、一方または双方は、洗浄ラックに設けるのではなく、洗浄槽２の側に設けられてもよい。
【符号の説明】
【００９１】
１  洗浄器
２  洗浄槽
３  洗浄ノズル
４  液貯留部
５  給水手段
６  排水手段
７  薬液供給手段
８  循環手段
９  第一ヒータ
１０  送風機
１１  第二ヒータ
１３  支持部材
１４  ノズルパイプ
１５  アタッチメント
１５Ａ  第一アタッチメント
１５Ｂ  第二アタッチメント
２５  循環ポンプ
５１  装着部
５２  本体部
５２ａ  上下面
５２ｂ  傾斜面
５２ｃ  傾斜面
５２ｄ  垂直面
５３  ノズル孔
５４  中空穴
５５  パッキン
５６  固定フック
５７  引っ掛け溝
【図１】
2016073909.tif 000003
【図２】
2016073909.tif 000004
【図３】
2016073909.tif 000005
【図４】
2016073909.tif 000006